(57)【要約】【課題】減圧弁を含んだ複数の機材を接続配管したのち、代用管を取付けることにより減圧弁を取付けたままで洗管、耐圧検査を行なうのに加え、その代用管を取付けたままで減圧弁の設定圧検査も行なえるようにする。【解決手段】代用管５１を配管ライン２０においてメータ４１の代わりに取付ける。代用管は本体５２とバイパス用アダプタ７１とを備えている。本体はその内部に、両端において両側の機材に連通する流路を備えている。アダプタはその一端側を本体の連通部５６に、他端側をラインのバイパス個所であるストレーナ２８のケーシング２９に取付ける。アダプタには内部に他端側から軸方向に伸びる孔７１ａとこれに連通する径方向の孔７６が形成され、これが本体の第２垂直流路６２に通じ、減圧弁２７をバイパスするバイパス流路を形成する。この状態で洗管、耐圧検査を行なう。本体を取付けたままアダプタを外し、ストレーナ体３１をケーシング２９に、閉鎖部材８６を本体の連通部６４に取付けることにより、減圧弁を通るラインが通じ、減圧弁の設定圧検査を行なえる。【選択図】  図４
2005226338.tif 000002
【特許請求の範囲】
【請求項１】
水道の配管ライン内においてメータに代わって取付けられ、両端において前記メータの両側に配置される機材にそれぞれ連通する流路を備えた代用管本体と、該代用管本体に取付けて使用されるバイパス用アダプタとを含み、前記バイパス用アダプタは、一端側において前記代用管本体の所定の取付け部に取付けられ、他端側において前記配管ラインの所定のバイパス個所に接続されたとき、前記取付け部において前記代用管本体の前記流路を上流側部と下流側部とに遮断し、前記バイパス個所において前記ラインを前記代用管本体に近い本体近位側と、前記代用管本体から遠い本体遠位側とに遮断し、前記バイパス用アダプタは、前記本体遠位側と、前記上流側部と下流側部のいずれか一方とを連通するバイパス流路を備えていることを特徴とする、水道配管ライン用代用管。
【請求項２】
請求項１記載の水道配管ライン用代用管において、前記代用管本体の流路は直線状の連通部を含み、該連通部はその両端において該連通部と向きの異なる流路部分に連通しており、前記取付け部は、前記連通部に設けられていることを特徴とする、水道配管ライン用代用管。
【請求項３】
請求項２記載の水道配管ライン用代用管において、前記バイパス用アダプタは筒状部材で構成され、前記一端側を前記連通部に軸方向に挿入して取り付けられ、前記連通部の所定の遮断位置において該一端側の外周と前記連通部の内周との間をシールして前記代用管本体の流路を前記上流側と下流側とに遮断し、前記バイパス流路の一端は、前記遮断位置に関して前記他端側と反対側において開口して前記流路に連通していることを特徴とする、水道配管ライン用代用管。
【請求項４】
請求項３記載の水道配管ライン用代用管において、前記連通部は軸方向両端が開口し、前記水道配管ライン用代用管は、前記バイパス用アダプタが前記代用管本体から取外されたときに、前記連通部両端の開口に取付けられ、該開口を閉鎖する閉鎖部材をさらに含んでいることを特徴とする、水道配管ライン用代用管。
【請求項５】
請求項４記載の水道配管ライン用代用管において、前記閉鎖部材は、それぞれ前記開口に挿入されて該開口を閉鎖する二つの栓と、該二つの栓を連結する、前記連通部の内径より細い外径を有する連結軸とで一体に構成されていることを特徴とする、水道配管ライン用代用管。
【請求項６】
請求項３記載の水道配管ライン用代用管において、前記連通部は軸方向両端部が開口し、前記バイパス用アダプタは、前記一端側において、端部側から順に第１と第２と第３の大径部が所定の距離を隔てて形成され、前記バイパス用アダプタの前記代用管本体への取付け状態を変更することにより、これら大径部のいずれか２つが、前記遮断位置と、前記連通部の両端開口のうち前記バイパス流路の一端が開口している側に対応する側の開口とを閉鎖する第１の状態と、前記連通部の前記両端開口を閉鎖する第２の状態とを切換えられることを特徴とする、水道配管ライン用代用管。
【請求項７】
請求項６記載の水道配管ライン用代用管において、前記バイパス用アダプタは、前記第１の状態においては、前記第２の大径部が前記遮断位置を、前記第１の大径部が前記連通部の両端開口のうち前記バイパス流路の一端が開口している側に対応する側の開口とをそれぞれ閉鎖し、前記第１の状態から前記バイパス用アダプタを軸方向所定の距離だけ移動した第２の状態において、前記第２と第３の大径部がそれぞれ前記連通部の前記両端開口を閉鎖することを特徴とする、水道配管ライン用代用管。
【請求項８】
請求項６記載の水道配管ライン用代用管において、前記バイパス用アダプタは、前記第１の状態においては、前記第２の大径部が前記遮断位置を、前記第３の大径部が前記連通部の両端開口のうち前記バイパス流路の一端が開口している側に対応する側の開口とをそれぞれ閉鎖し、前記第１の状態と反対向きに前記バイパス用アダプタを前記連通部に挿入した第２の状態において、前記第１と第２の大径部がそれぞれ前記連通部の前記両端開口を閉鎖することを特徴とする、水道配管ライン用代用管。
【請求項９】
請求項１乃至８のいずれか１の前記配管ラインの前記バイパス位置は、前記メータの上流側に設けられることを特徴とする、水道配管ライン用代用管。
【請求項１０】
請求項９記載の水道配管ライン用代用管において、前記メータの上流側には減圧弁が設けられ、前記バイパス位置は該減圧弁の上流側に設けられることを特徴とする、水道配管ライン用代用管。
【発明の詳細な説明】
【技術分野】
【０００１】
本発明は、水道配管ラインに各種機材を設置した後に行なう、配管の洗管、並びに各種検査を行なう際に使用する代用管に関する。
【背景技術】
【０００２】
従来から水道用のメータは、配管ラインに各種機材を設置する工事が完了し、その後の洗管及び各種の検査が終了した後に水道事業者から支給されるようになっている。そこで配管工事を行なっている間は、先ずメータの代わりに代用管を使用して止水栓など所定の機材を設置し、その後に配管工事中に生じた配管内の切粉などを洗い流す洗管作業を行ない、次いで耐圧検査等について水道事業者による確認を受ける。そして検査合格後にメータの支給を受け、代用管を外してメータを配管に取付けるようになっている。
【０００３】
近年高層住宅等では特開平９−２８０９１９号などに開示されたメータユニットを使用する場合が多い。このユニットは、ベースに止水栓や逆止弁を一体的に取付けて、それら止水栓と逆止弁との間にメータを着脱自在に取付けられるようにしたもので、集合住宅の狭いパイプシャフトにこれらの機材を設置するのにきわめて便利な構成となっている。このユニットを使用した場合でも、洗管及び耐圧検査を行なうには、メータに代わる代用管を取り付けておこなう。
【０００４】
ところで、水圧が必要以上に高い所ではメータの手前側に減圧弁を取付け、減圧するようになっている。例えば集合住宅での場合、最上階で所定の水圧を確保するようにすると、下側の階では水圧が高くなりすぎ、これに対処するためにユニットに減圧弁を組込んでいる。この場合、洗管を行なう際には、配管内に存在し得る切粉等が減圧弁内に浸入するのを避けるために、一旦取付けた減圧弁を外し、その部分にさらに別の代用管を取付けて洗管を行なう。そして配管の耐圧検査を行なった後に減圧弁代わりの代用管を外し、再度減圧弁を取り付けるようになっている。減圧弁を設置するのは集合住宅の場合に限らない。配管の上流側になるほど一般的に水圧は高く、必要に応じて減圧弁が取付けられている。
【０００５】
このように折角取付けた減圧弁を取外し、耐圧検査後に再度取付けるという煩わしさを避けるために、本願出願人は、特開平２００２−３１０７３８号に開示される、減圧弁をバイパスする代用管及びそれを使用した洗管方法及び耐圧検査方法を提案した。
【０００６】
ところが、減圧弁を使用する場合には、その減圧弁により所定の設定圧に減圧されているかどうかを検査する必要が有るが、特開平２００２−３１０７３８号に開示された代用管では、減圧弁に通じる流路を閉じているので、減圧弁についての検査を行なうことができない。そこでこの代用管を外して別個の代用管を取付けるなどして減圧弁の検査をしなければならず、減圧弁の取外し、再取付けという手間は省けるが、作業能率の点で未だ不充分である。
【０００７】
【特許文献１】特開平２００２−３１０７３８号公報
【発明の開示】
【発明が解決しようとする課題】
【０００８】
本願発明は上記の問題点に鑑みなされたものであり、洗管及び配管の耐圧検査に加えて、減圧弁の設定圧についての検査も行なえる代用管を提供することをその課題とする。
【課題を解決するための手段】
【０００９】
上記課題を解決するために本願発明に係る水道配管ライン用代用管は、代用管本体とバイパス用アダプタとで構成した。その代用管本体は、ライン内においてメータに代わって取付けられ、両端においてそのメータの両側に配置される機材にそれぞれ連通する流路を備えている。バイパス用アダプタは該代用管本体に取付けて使用される。そしてバイパス用アダプタは、一端側において代用管本体の所定の取付け部に取付けられ、他端側において配管ラインの所定のバイパス個所に接続されたときに、代用管本体の取付け部においてはその流路を上流側部と下流側部とに遮断し、配管ラインのバイパス個所においてはラインを代用管本体に近い側の本体近位側と、遠い側の本体遠位側とに遮断するようになっている。そしてバイパス用アダプタは、ラインの本体遠位側と、本体の流路の上流側部と下流側部のいずれか一方とを連通するバイパス流路を備えている。
【００１０】
これにより、アダプタを取付けた状態ではラインの中の所定の部分をバイパスした流路を形成でき、その状態でラインの洗管及び必要な耐圧検査などを行なうことができる。そして、本体はそのままで、アダプタのみを移動或いは取外して前述の流路及びラインにおける遮断を解除することにより、ライン全体を通じて行なう検査、例えば減圧弁の設定圧検査などを行なうことができる。
【００１１】
ある実施の形態では、代用管本体の流路は直線状の連通部を含み、該連通部はその両端において該連通部と向きの異なる流路部分に連通しており、アダプタを取付ける取付け部はこの連通部に設けられている。
【００１２】
ある実施の形態では、バイパス用アダプタは筒状部材で構成されており、その一端側を代用管本体の連通部に軸方向に挿入して取り付けられる。そして連通部の所定の遮断位置においてこの一端側の外周と連通部の内周との間をシールして代用管本体の流路を上流側と下流側とに遮断する。一方アダプタのバイパス流路の一端は、この遮断位置に関してアダプタの他端側と反対側において開口して代用管本体の流路に連通している。
【００１３】
ある実施の形態では、代用管本体の連通部は軸方向両端が開口しており、この水道配管ライン用代用管は、バイパス用アダプタが代用管本体から取外されたときに、その連通部両端の開口に取付けられて閉鎖する閉鎖部材をさらに含んでいる。
【００１４】
ある実施の形態では、その閉鎖部材は、それぞれ連通部両側の開口に挿入されて該開口を閉鎖する二つの栓と、該二つの栓を連結する連結軸とで一体に構成されている。そして連結軸の外径は連通部の内径より小さくなっている。
【００１５】
ある実施の形態では、代用管本体の連通部は軸方向両端部が開口し、バイパス用アダプタは、一端側において、端部側から順に第１と第２と第３の大径部が所定の距離を隔てて形成されている。そして、バイパス用アダプタの代用管本体への取付け状態を変更することにより、これら大径部のいずれか２つが、連通部における遮断位置と、連通部の両端開口のうち、バイパス流路の一端が開口している側に対応する側の開口とを閉鎖する第１の状態と、連通部の両端開口を閉鎖する第２の状態とを切換えることができるようになっている。
【００１６】
ある実施の形態では、前述の第１の状態においては、第２の大径部が遮断位置を、第１の大径部が連通部の両端開口のうち、バイパス流路の一端が開口している側に対応する側の開口とをそれぞれ閉鎖し、第１の状態からバイパス用アダプタを軸方向所定の距離だけ移動した第２の状態において、第２と第３の大径部がそれぞれ連通部の両端開口を閉鎖するようになっている。
【００１７】
ある実施の形態では、バイパス用アダプタは、前述の第１の状態においては、第２の大径部が遮断位置を、第３の大径部が連通部の両端開口のうち、バイパス流路の一端が開口している側に対応する側の開口とをそれぞれ閉鎖し、第１の状態と反対向きにバイパス用アダプタを連通部に挿入した第２の状態においては、第１と第２の大径部がそれぞれ連通部の両端開口を閉鎖するようになっている。
【００１８】
ある実施の形態では、配管ラインのバイパス位置は、メータの上流側に設けられ、本願発明の代用管のアダプタの前述した他端側はこのバイパス位置に取り付けられ、このバイパス位置と代用管本体との間をバイパスする流路を形成する。これにより、バイパスした部分に配置された機材を除いた状態で洗管、耐圧などの検査を行なうことができ、バイパス流路を解除することによりライン全体を通じる流路を形成し、その状態で行なうべき検査等を行なうことができる。
【００１９】
ある実施の形態では、本発明の代用管は、メータの上流側には減圧弁が設けられた配管ラインにおいて使用される。この場合、バイパス位置は該減圧弁の上流側に設けられる。これにより減圧弁をバイパスして洗管、耐圧検査を行なうことができ、一方代用管本体をつけたまま、減圧弁の設定圧検査を行なうことができる。
【発明の効果】
【００２０】
上記の通り、本願発明に係る代用管においては、代用管を代用管本体とバイパス用アダプタで構成し、アダプタにより、配管ラインをバイパス個所で、本体流路を遮断位置で遮断することによりバイパス流路を形成し、この状態で洗管、耐圧検査を行なうと共に、少なくとも本体は取付けたままでアダプタによる遮断を解除することによりライン全体を通じさせ、減圧弁の設定圧検査など所定の検査を行なえる。従って配管工事終了後の洗管、諸検査等の作業が一連に行なうことができ、作業効率の大幅な改善を図ることができる。
【発明を実施するための最良の形態】
【００２１】
以下図面を参照しながら本願発明の好適な実施の形態について説明する。なお、以下においてはメータユニットを使用した形態について説明するが、本発明の範囲はそれに限定されるものではない。図１は、本実施の形態で使用するメータユニット２１を示す側面部であり、図２はそのＡ−Ａ断面図である。このメータユニット２１は、その上、下流側において他の配管、機材に接続され、配管ライン２０の一部を構成する。
【００２２】
図において符号２３はユニット２１のベースであり、一端側すなわち下流側に設けられた逆止弁載置部２３ａの上に逆止弁２５がボルト、ナット等適宜手段で固定されている。逆止弁は公知のものを使用でき、その詳細な説明は省略する。
【００２３】
ベース２３の反対側すなわち上流側には、その上面側に減圧弁載置部２３ｂが設けられ、その上に図示の通り減圧弁２７がボルト、ナット等適宜手段で固定されている。この減圧弁２７も公知の構成のものを使用できる。減圧弁２７の内部には、その両端において後述するストレーナ２８及びメータ着脱装置３７の流路に連通する流路（図示せず）が形成され、ストレーナ２８への接続口は図１において上部に、着脱装置３７への接続口は右側部に形成されている。
【００２４】
減圧弁２７の上部には、ストレーナ２８が取付けられて、上流からの水の中に存在するゴミ等を捕捉する。ストレーナ２８は、減圧弁２７に取付けられ内部の流路２９ａが減圧弁内部に連通しているストレーナケーシング２９を備え、このケーシング２９には、ゴミ等を捕捉するためのメッシュ３３を備えたストレーナ体３１が、そのメッシュ３３をケーシング２９内の流路に臨ませた状態で、着脱自在に取付けられている。
【００２５】
すなわち図３に示されるように、ストレーナ体３１は、おねじ３２ａを備えたメッシュ保持体３２の先端に、図示の通り両端を閉じた円筒状のメッシュ３３を取付けて構成され、このおねじ３２ａをケーシング２９の側壁に形成されためねじ２９ｂに螺合させ、メッシュ３３の先端３３ａをケーシング２９の内部流路２９ａに沿って、めねじ２９ｂに対向した位置に形成されたメッシュ受け部２９ｃに当接させた状態で取付けられる。このようなストレーナ２８の構成も公知である。なお、ストレーナ体３１の取付け口は、図１において水平方向に、すなわち前述の減圧弁２７と逆止弁２５とを結ぶ方向にその軸心が伸びた状態で取付けられている。
【００２６】
ストレーナケーシング２９の上側にはボール止水栓３４が取り付けられ、さらに回転式伸縮ジョイント３５が取付けられている。
【００２７】
ベース２３の逆止弁載置部２３ａと減圧弁載置部２３ｂとの間で、減圧弁載置部２３ｂ寄りの位置に着脱装置載置部２３ｄが設けられ、そこに着脱装置３７がボルト、ナット等適宜手段で固定されている。この着脱装置３７は、メータ４１をこのユニット２１に着脱自在に取付けるための装置である。
【００２８】
着脱装置３７は、内部に両端で減圧弁２７とメータ４１に連通する流路３８ａを備えた筒状のスライダ３８と、このスライダ３８に螺合してこれを前後進させる、ハンドル３９ａを備えた回転部材３９とを備えている。そして、スライダ３８の先端部（図１において右側）にはメータ４１の一端を受止めて支持するメータ受け部３８ａが形成されている。このメータ受け部３８ａでメータ４１の一端を受止めた状態でスライダ３８を前進（図１において右方向）させることによりメータ４１を前述の逆止弁２５へ押付け、所定の位置で保持し、後退させることによりメータ４１の取外しができる。回転部材３９は回転可能であるが、軸方向移動は不能に、減圧弁２７に取付けられている。そしてスライダ３８は回転部材３９に螺合して取付けられ、回転止めが施され、軸方向のみ移動可能となっている。この構成についても前述の特開平９−２８０９１９号等により公知となっているので、詳細な説明は省略する。逆止弁２５の下流側には回転式のエルボ４３が取付けられ、さらに回転式ジョイント４５が取り付けられている。そして、ユニット２１の両端のジョイント３５、４５をそれぞれ上流側と下流側の配管に接続する。なお、図１には説明の都合上メータ４１を取付けて示してあるが、先に説明したように、メータユニット２１等の設置工事を行なう際には未だメータ４１は水道事業者から支給されていない。従って、メータ４１の代わりに後述の代用管５１を使用して施工並びに各種の検査がなされる。
【００２９】
図４は第１の実施の形態を示し、前述のメータユニット２１を上下流の配管（図示せず）に接続した後、洗管及び耐圧検査を行う状態を示す側断面図であり、図５は減圧弁の設定圧を検査する状態を示す側断面図である。これら洗管及び検査を行う場合に本願発明の代用管５１を図示の様に取付けて使用する。代用管５１は図６及び７に示されており、先ずこれについて説明する。
【００３０】
この第１の実施の形態で使用する代用管５１は大略３つの部材の組合わせで構成され、図４に示される洗管及び耐圧試験を行なう際には、第１と第２の部材、即ち代用管本体５２とバイパス用アダプタ７１とを組合わせて使用し、図５に示される減圧弁２７の設定圧検査の際には本体５２と第３の部材即ち閉鎖部材８６とを組合わせて使用する。先ず図６を参照して、洗管及び耐圧検査を行なう際の組合わせて使用される代用管本体５２及びバイパス用アダプタ７１について説明する。
【００３１】
代用管本体（以下、本体という）５２は、図６において下側で水平方向に伸びる、中空の水平部５３を備えている。その両端は開口５４、５５となっており、図４に示されるようにそれぞれ配管ライン２０で上流側となる着脱装置３７と逆止弁２５に接続される。水平部５３の右よりの位置には、後述する圧力計９４を取付けるための圧力計取付け部５６が形成され、キャップ５７により閉じられている。
【００３２】
水平部５３の左右方向中央より左寄りの位置で、上方へ伸びる、中空の垂直部６０が形成されている。そして水平部５３の底部５３ａより垂直部６０の上端まで伸びている仕切り壁６３により、水平部５３の内部は左側の上流側流路５８と右側の下流側流路５９とに、垂直部６０の内部は左側の第１垂直流路６１と右側の第２垂直流路６２とに仕切られている。第１及び第２垂直流路６１、６２は平行に伸び、図示の通りそれぞれその下端において上流側流路５８と下流側流路５９に連通している。
【００３３】
垂直部６０の上には、内部に両端が開口６６、６７となった連結流路６５が水平方向に伸びて形成されている連通部６４が設けられている。図示の通り、この連結流路６５に仕切り壁６３の両側でそれぞれ第１、第２垂直流路６１、６２の上端が開口している。従って、上流側流路５８、第１垂直流路６１、連結流路６５、第２垂直流路６２、下流側流路５９とは連通している。連通部６４の上には、後述の耐圧検査用のポンプ等を取付けるためのポンプ取付け部６８が上方へ筒状に伸びて形成され、キャップ６９により閉じられている。なお、取付け部６８は前述の第２垂直流路６２と同一軸心となるように形成されている。
【００３４】
符号７１は軸状に形成されたバイパス用アダプタ（以下、アダプタという）である。図示の通りアダプタ７１は、図中右側となるその一端側即ち基端側端部に形成された、前述の本体５２の連結流路６５の内径より大きい外径を有する摘み部７２が、連通部６４の一方の開口６７端部に当接した状態で、連結流路６５に挿通されて取付けられている。アダプタ７１には他端側すなわち先端側から摘み部７２に近い位置まで軸方向に伸びる孔７１ａが形成され、その内方端部に円筒状のメッシュで構成されるストレーナ７１ｂが取付けられている。
【００３５】
摘み部７２の左側には、外径が略連結流路６５の内径に等しいか若干小さい第１及び第２の大径部７３、７４が形成され、それぞれ開口６７と、仕切り壁６３の位置で連結流路６５内に位置し、それぞれの外周上に配置されたＯリングにより、これらの位置をシールしている。従って開口６７は閉じられ、第１及び第２垂直流路６１、６２間の連通は遮断されている。第１及び第２大径部７３、７４に挟まれた部分は径が小さくなった第１小径部であり、図の左右方向で前述の本体５２の第２垂直流路６２と取付け部６８と整合した位置にある。この小径部７５には、孔７１ａから外周まで径方向に貫通して伸びる孔７６が、円周方向所定の間隔で複数個形成されている。従って、軸方向の孔７１ａは第２垂直流路６２と取付け部６８に繋がっている。なお図から判るとおり、前述のストレーナ７１ｂはこの孔７６に臨んで位置している。
【００３６】
第２大径部７４の左側は第２小径部７７、そして第３大径部７８となっている。第３大径部７８の外径は略本体５２の連通部６４の左側の開口６６の内径と同じであり、開口６６の端部に位置し、連通部６４内にゴミなどが進入するのを防止するようになっている。第３大径部７８の左は少し長くなった第３小径部７９、第３小径部７９より径の大きいフランジ部８０、そしてＯリング８１を挟んでフランジ部８０より径の小さいおねじ部８２、さらにおねじ部８２より径の小さいケーシング挿入部８３となって伸びている。ケーシング挿入部８３の先端８４の近傍外周にはＯリング８５が配設されている。
【００３７】
このように組合された代用管５１が、図４に示されるようにメータユニット２１に取付けられる。本体５２は前述のごとくメータ４１に代わって配置され、着脱装置３７を用いて着脱装置３７と逆止弁２５との間で固定、保持される。アダプタ７１は図６の如く本体５２に挿入されるが、そのとき、前述の減圧弁２７の上流側に取付けられたストレーナ２８のケーシング２９からストレーナ体３１が取外される。そしてケーシング挿入部８３がケーシング２９内に挿入され、おねじ部８２をストレーナ体３１が螺合していたケーシング２９のめねじ２９ｂに螺合させる。このとき挿入部８３の先端部８４は前述のケーシングのメッシュ受け部２９ｃに受止められるようになっている（図８参照）。従って、挿入部８３を挿入することにより、配管ライン２０の連通はこの部分で遮断されている。
【００３８】
配管ライン２０の洗管及び耐圧検査は上述の組合わせ状態で代用管５１を使用するが、減圧弁２７の設定圧検査を行なう場合には、図７に示される組合わせ状態で代用管５１を使用する。すなわち、本体５２からアダプタ７１が外され、代わりに閉鎖部材８６を使用する。閉鎖部材８６は、本実施の形態では両側の栓８７、８８とこれらを結合している連結軸８９とで一体に構成されている。栓８７、８８の外周上にはそれぞれＯリング９０ａ、９０ｂが配置されており、栓８７、８８がそれぞれ本体５２の連通部６４の両側開口６６、６７を閉鎖するようになっている。この状態において、第１及び第２垂直流路６１、６２は連結流路６５を介して連通している。
【００３９】
以上の構成からなる代用管５１を用いて配管ラインの洗管、配管ラインの耐圧検査、減圧弁の設定圧検査をこの順で行なうが、先ず、図６に示される組合せ状態での代用管５１をメータユニット２１に取付ける。これのメータユニット２１への取付けは、配管施工現場で行ってもよいが、メータユニット２１に組込んだ状態で工場から出荷するようにすると便宜である。すなわち、図４に示すポンプ９３等を外し、取付け部６８にキャップ６９を取付けた状態である。配管工事が完了した後、この状態で先ず洗管が行なわれる。すなわち、配管工事中に配管ライン２０内に生じて残っている可能性のある切粉、ゴミなどを配管ライン２０の下流側末端から排出するために、上流側から水を流す。このとき、前述した通り減圧弁２７内に切粉、ゴミなどが入るのを防止するために、そして洗管作業を減圧弁２７を外すことなく行なうために、図示の代用管５１を用いて減圧弁２７をバイパスして水を流すようにするのである。
【００４０】
洗管作業が終了すると、図４に示すように代用管５１のポンプ取付け部６８からキャップ６９を外し、圧力計９１、止水バルブ９２、ポンプ９３を図示の如く接続する。なお、図４の状態にしてから洗管作業を行なっても良いが、その場合にはバルブ９２を閉じておくことが望ましい。
【００４１】
耐圧検査を行なうのは、バルブ９２を開き、配管ライン２０の所定の位置即ち耐圧試験を行なうべき部分の両端でバルブ等を閉め、テストポンプ９３で水を送り検査部分の水圧を高める。水圧は圧力計９１で測定され、所定の圧力になるとポンプ９３を止めてバルブ９２を閉める。この状態で所定時間放置し、管の接続個所等において水漏れがないかどうかを調べる。これにより耐圧検査が終了する。
【００４２】
次に減圧弁２７の設定圧検査を行なうには、代用管５１の本体５２からアダプタ７１を取外し、代わって閉鎖部材８６を図７に示すように取付ける。その際に、アダプタ７１のケーシング挿入部８３が外されたストレーナ２８のケーシング２９にストレーナ体３１が取付けられる。これでこの部分での配管ライン２０の遮断は解除される。これで図５の状態となる。そして図５において二点鎖線で示されているように、代用管本体５２の圧力計取付け部５６からキャップ５７を外し、そこに圧力計９４を取り付ける。前述の説明から判るとおり、この状態では配管ライン２０は減圧弁２７を通って全体に渡って通じている。そこで、上流側から水を流し、水圧計で水圧を測定し、減圧弁２７により所定の水圧に減圧されているかどうかを検査する。なお、逆止弁２５のタイプによっては圧力計取付け部２５ａを備えているものがある。その場合には圧力計９４をその取付け部２５ａに取付けてもよく、本体５２の圧力計取付け部５６が不要となる。
【００４３】
以上の説明から判るとおり、本発明の代用管においてはその本体内部の流路は、下流側に加えて上流側も開口して着脱装置３７、減圧弁２７へと通じている。従ってストレーナ２８及び代用管５１の連通部６４での遮断を解除すると配管ラインは減圧弁２７を含めて全体が通じるので、代用管５１を取付けた状態のままで減圧弁２７の設定圧検査を行なうことができる。
【００４４】
図９及び１０は第２の実施の形態に係る代用管１０１を示しており、図９は第１の実施の形態の図６に、図１０は図７に対応する。この実施の形態での代用管本体は、第１の実施の形態でのそれと同じであるので同じ符合５２で示し、詳細な説明は省略する。
【００４５】
アダプタ１０２が第１の実施の形態でのアダプタ７１と異なる点は、大径部が二つではなく、３箇所に設けられている点である。すなわち、第１、第２、第３の大径部１０３、１０４、１０５が所定の間隔で形成され、それぞれその外周上にＯリング１０６、１０７、１０８を備えている。そして、それぞれの状態でメータユニットに取付けられて図４及び図５に対応する状態となり、それぞれ洗管と耐圧検査、及び減圧弁の設定圧検査を行なえる。従ってこの実施の形態では第１の実施の形態で使用した閉鎖部材８６が不要となり、アダプタ１０２を反対方向に挿入することにより対応する。
【００４６】
図１１、１２は第３の実施の形態に係る代用管１２１を示しており、図１１は第１の実施の形態の図６に、図１２は図７に対応する。この実施の形態での代用管１２１の本体１２２は、その連通部１２３が、その両側の開口１２４、１２５のうち、左側の開口１２４側が長くなっている点で第１の実施の形態と異なるが、その他の構成は同じである。そして、アダプタ１２６には右側から第１、第２、第３の大径部１２７、１２８、１２９が形成され、それぞれ外周上にＯリング１３０、１３１、１３２が配置されている。図から判るとおり、図１１の洗管、耐圧検査を行なう状態から、アダプタ１２６を所定の距離だけ軸方向に移動させるだけで、減圧弁の設定圧検査を行なう状態に切換えることができる。
【００４７】
なお、上記説明においてはメータの上流側に設置される減圧弁をバイパスして洗管、耐圧検査を行なった後にその減圧弁の設定圧検査を行なう実施の携帯を説明したが、本発明の代用管の使用例はそれに限定されるものではない。水道配管工事間或いは工事完了後の検査等において、ある特定機材をバイパスして行なうことが望ましい作業と、その機材を通して行なうことが必要な作業とがある場合に、必要に応じて上記の実施の形態に変更を加えて用いることができる。また、バイパスする機材はメータの上流側に設置される機材に限定されず、上流側に設置される機材をバイパスする場合にも使用可能である。なお、上記の説明での、「上流」、「下流」、「上」、「下」、「右」、「左」、「第１」、「第２」等の用語を用いているが、これらは説明の便宜のためであり、何ら本発明の範囲を限定するものではない。
【図面の簡単な説明】
【００４８】
【図１】本発明の第1の実施の形態で使用するメータユニットの側断面図である。
【図２】図１のＡ−Ａ線断面図である。
【図３】ストレーナの拡大図である。
【図４】第１の実施の形態での洗管、耐圧検査を行う状態を示す図である。
【図５】減圧弁の設定圧検査を行なう状態を示す図である。
【図６】洗管、耐圧検査を行なう際の代用管の部材の組合せを示す図である。
【図７】減圧弁の設定圧検査を行なう際の代用管の部材の組み合わせを示す図である。
【図８】ストレーナ部分での代用管の接続状態を示す部分拡大図である。
【図９】第２の実施の形態に係る代用管を示す図で、図６に対応する。
【図１０】第２の実施の形態に係る代用管を示す図で、図７に対応する。
【図１１】第３の実施の形態に係る代用管を示す図で、図６に対応する。
【図１２】第３の実施の形態に係る代用管を示す図で、図７に対応する。
【符号の説明】
【００４９】
２０  配管ライン
２１  メータユニット
２３  ベース
２５  逆止弁
２７  減圧弁
２８  ストレーナ
２９  ケーシング
３１  ストレーナ体
３４  止水栓
３７  着脱装置
３８  スライダ
３９  回転部材
５１  代用管
５２  代用管本体
５３  水平部
５４、５５  開口
５６  水圧計取付け部
５８  上流側流路
５９  下流側流路
６０  垂直部
６１  第１垂直流路
６２  第２垂直流路
６３  仕切り壁
６４  連通部
６５  連結流路
６６、６７  開口
６８  ポンプ取付け部
７１  バイパス用アダプタ
７１ａ  孔
７１ｂ  ストレーナ
７３  第１大径部
７４  第２大径部
７５  第１小径部
７６  径方向孔
８２  おねじ部
８３  ケーシング挿入部
９１  圧力計
９３  ポンプ
９４  圧力計
【図１】
2005226338.tif 000003
【図２】
2005226338.tif 000004
【図３】
2005226338.tif 000005
【図４】
2005226338.tif 000006
【図５】
2005226338.tif 000007
【図６】
2005226338.tif 000008
【図７】
2005226338.tif 000009
【図８】
2005226338.tif 000010
【図９】
2005226338.tif 000011
【図１０】
2005226338.tif 000012
【図１１】
2005226338.tif 000013
【図１２】
2005226338.tif 000014